(57)【要約】【課題】携帯装置等の指紋センサ搭載機器の指紋センサ入力に関し、操作方向や速度等、ユーザの入力操作の自由度を拡大する。【解決手段】指紋入力の際、指紋センサ（４）のセンサ部（１２）に対するユーザの指操作を表す操作情報を取り込み、その操作情報からユーザの操作傾向（癖）を演算して登録し、その登録情報を参照して指紋センサから取り込まれる操作情報を調整する。このため、ユーザの操作傾向が事前に登録されているので、誤操作を低減でき、目的位置に素早い選択が可能となる。  【選択図】図１
2010072968.tif 000002
【特許請求の範囲】
【請求項１】
指紋センサを用いるスライドチューニング装置であって、
入力の際、前記指紋センサに対する指の操作を表す操作情報を取り込み、複数の操作情報から操作傾向を演算する操作傾向演算手段と、
前記操作傾向演算手段で演算された前記操作傾向を表す情報を登録する登録手段と、
前記指紋センサの指紋入力の際に前記登録手段の登録情報を参照し、前記指紋センサに取り込まれる操作情報を調整する調整手段と、
を備えることを特徴とするスライドチューニング装置。
【請求項２】
請求項１記載のスライドチューニング装置において、
前記操作情報は、前記指の移動方向又は速度であることを特徴とするスライドチューニング装置。
【請求項３】
指紋センサを備える電子機器であって、
指紋入力の際、前記指紋センサに対する指の操作を表す操作情報を取り込み、複数の操作情報からユーザの操作傾向を演算する操作傾向演算手段と、
前記操作傾向演算手段で演算された前記操作傾向を表す情報を登録する登録手段と、
前記指紋センサの指紋入力の際に前記登録手段の登録情報を参照し、前記指紋センサから取り込まれる操作情報を調整する調整手段と、
を備えることを特徴とする電子機器。
【請求項４】
コンピュータによって実行され、指紋センサの指紋入力の際のスライドチューニングプログラムであって、
指紋入力の際、前記指紋センサに対する指の操作を表す操作情報を取り込み、複数の操作情報からユーザの操作傾向を求めるステップと、
前記操作傾向を表す情報を登録するステップと、
前記指紋センサの指紋入力の際に前記操作傾向を表す登録情報を参照し、前記指紋センサから取り込まれる操作情報を調整するステップと、
を前記コンピュータに実行させることを特徴とするスライドチューニングプログラム。
【請求項５】
指紋センサを用いるスライドチューニング方法であって、
指紋入力の際、前記指紋センサに対する指の操作を表す操作情報を取り込み、複数の操作情報からユーザの操作傾向を求めるステップと、
前記操作傾向を表す情報を登録するステップと、
前記指紋センサの指紋入力の際に前記操作傾向を表す登録情報を参照し、前記指紋センサから取り込まれる操作情報を調整するステップと、
を含むことを特徴とするスライドチューニング方法。
【発明の詳細な説明】
【技術分野】
【０００１】
本発明は、携帯電話機等、指紋センサが搭載された電子機器の指紋センサによる入力操作に関し、特に、ユーザの入力傾向（癖等）を補完するスライドチューニング装置、電子機器、スライドチューニングプログラム及びスライドチューニング方法に関する。
【背景技術】
【０００２】
指紋センサを備える電子機器として例えば、情報処理装置におけるリスト表示のカーソル操作では、キー操作面にある数字キーの直接押下や、マルチキーの上下左右キーを使って項目の選択や決定が行われる。フルブラウザでは、マルチキーの上下左右キーを使って目的の箇所にポインタを合わせる必要がある。このポインタの移動は１押下に対して１ドットであり、その連続押下ではポインタ移動は素早く動くが、目的の場所で停止することが難しい。
【０００３】
携帯装置には指紋認証機能が搭載されており、指紋センサの配置場所は携帯装置の内側、外側等、多様であるが、主として端末装置の縦方向に対し横向きに実装されている。指紋センサを使ったポインティングでは、指の指紋を検出するが、指紋認証は実施されていない。そして、フルブラウザのマウスポインタを動作させる場合、ポインタ縦移動では指を上から下、又は下から上に直線方向にスライド操作する必要がある。しかし、ユーザによっては指紋センサを指でスライドする動きが必ずしもまっすぐに上下方向に、又はそれとは逆方向に操作するとは限らない。多少斜めにスライドすることも考えられ、ユーザの操作意図が装置側に受け入れられないという入力誤差を生じる等、ユーザビリティに課題を生じる。
【０００４】
このような指紋センサの入力操作に関し、特許文献１では、指の移動又は指紋センサのセンサ面に加えられた圧力の位置の時間的変化に応じてディスプレイ上のカーソル又はポインタを移動させるようにし、また、時間的変化を検出するタイミングが指又は圧力の移動の時間的変化に応じて決定されることが開示されている。
【特許文献１】国際公開ＷＯ２００４／１０４８１３
【発明の開示】
【発明が解決しようとする課題】
【０００５】
ところで、携帯装置は、主としてテンキーやマルチキーを使って操作する。そのメニュー等のリスト表示やブラウザでは、目的の項目や場所を選択する時にテンキーの直接の押下やマルチキーの上下左右押下の繰り返し操作で実現しているが、ＬＣＤ（Liquid Crystal Display）のサイズが大きくなるとともに、その操作に手間や困難さがあり、時間も長くなる傾向がある。
【０００６】
指紋センサ機能の搭載装置では、指紋センサを用いてポインティング操作、縦横スクロール操作が実現されているが、取り扱うユーザによっては指紋センサのセンサ面のなぞり方、指の動かし方はさまざまであって、ユーザの指を動かす方向と意図しない方向や移動量のアクションが生じることになる。
【０００７】
ユーザの認識と実際の操作との間に乖離が生じていても、その乖離をユーザが認識しなければ入力誤差を生じることになる。
【０００８】
このような指紋センサを搭載した場合には、その操作について、項目選択やフルブラウザ画面のポインタ移動のキー入力操作では相当な慣れが必要であり、場合によってはポインティング操作に誤動作を生じさせ、また、左右の手によって指紋センサポインティングの動作にバラツキを生じ、ポインティング操作時に指紋認証ができないといった課題がある。
【０００９】
そこで、本発明の目的は、携帯装置等の指紋センサ搭載機器の指紋センサ入力に関し、操作方向や速度等、ユーザの入力操作の自由度を拡大することにある。
【００１０】
また、本発明の他の目的は、携帯装置等の指紋センサ搭載機器の指紋センサ入力に関し、操作方向や速度等、ユーザの誤操作を低減することにある。
【課題を解決するための手段】
【００１１】
上記目的を達成するため、本発明は、指紋入力の際、指紋センサのセンサ部に対するユーザの指操作を表す操作情報を取り込み、その操作情報からユーザの操作傾向（癖）を演算して登録し、その登録情報を参照して指紋センサから取り込まれる操作情報を調整する。このため、ユーザの操作傾向が事前に登録されているので、誤操作を低減でき、目的位置に素早い選択が可能となる。
【００１２】
上記目的を達成するため、本発明は、指紋センサを用いるスライドチューニング装置であって、入力の際、前記指紋センサに対する指の操作を表す操作情報を取り込み、複数の操作情報から操作傾向を演算する操作傾向演算手段と、前記操作傾向演算手段で演算された前記操作傾向を表す情報を登録する登録手段と、前記指紋センサの指紋入力の際に前記登録手段の登録情報を参照し、前記指紋センサに取り込まれる操作情報を調整する調整手段とを備えることである。
【００１３】
斯かる構成によれば、複数の操作情報からユーザの操作傾向が演算され、その演算結果が登録手段に登録され、指紋センサから取り込まれる操作情報を登録手段にある登録情報を参照して調整することができ、ユーザの操作性を補完し、誤操作の低減とともに、目的位置への素早い選択等、快適なユーザビリティが達成される。
【００１４】
上記目的を達成するためには、上記スライドチューニング装置において、好ましくは、前記操作情報は、前記指の移動方向又は速度である構成としてもよい。斯かる構成によっても上記目的を達成することができる。
【００１５】
上記目的を達成するため、本発明は、指紋センサを備える電子機器であって、指紋入力の際、前記指紋センサに対する指の操作を表す操作情報を取り込み、複数の操作情報からユーザの操作傾向を演算する操作傾向演算手段と、前記操作傾向演算手段で演算された前記操作傾向を表す情報を登録する登録手段と、前記指紋センサの指紋入力の際に前記登録手段の登録情報を参照し、前記指紋センサから取り込まれる操作情報を調整する調整手段とを備えることである。斯かる構成によっても上記目的を達成することができる。
【００１６】
上記目的を達成するため、本発明は、コンピュータによって実行され、指紋センサの指紋入力の際のスライドチューニングプログラムであって、指紋入力の際、前記指紋センサに対する指の操作を表す操作情報を取り込み、複数の操作情報からユーザの操作傾向を求めるステップと、前記操作傾向を表す情報を登録するステップと、前記指紋センサの指紋入力の際に前記操作傾向を表す登録情報を参照し、前記指紋センサから取り込まれる操作情報を調整するステップとを前記コンピュータに実行させることである。斯かる構成によっても上記目的を達成することができる。
【００１７】
上記目的を達成するため、本発明は、指紋センサを用いるスライドチューニング方法であって、指紋入力の際、前記指紋センサに対する指の操作を表す操作情報を取り込み、複数の操作情報からユーザの操作傾向を求めるステップと、前記操作傾向を表す情報を登録するステップと、前記指紋センサの指紋入力の際に前記操作傾向を表す登録情報を参照し、前記指紋センサから取り込まれる操作情報を調整するステップとを含むことである。斯かる構成によっても上記目的を達成することができる。
【発明の効果】
【００１８】
本発明によれば、次のような効果が得られる。
【００１９】
(1) 携帯装置等の指紋センサ搭載機器の指紋センサ入力に関し、操作方向や速度等、ユーザの入力操作の自由度を拡大することができ、また、ユーザの誤操作を防止できる。
【００２０】
(2) 指紋センサのセンサ部に対する指のスライド操作の傾向情報を登録し、指紋入力の際に登録情報を参照し、指紋センサに取り込まれる操作情報を調整するので、スライド操作による入力を補完し、ユーザの操作性による誤操作を防止でき、操作機能が向上するとともに操作の信頼性が高められる。
【００２１】
(3) ユーザは自己の癖を意識しながらスライド操作をする必要がなく、直感的操作を実現でき、迅速操作を行える。
【００２２】
(4) 誤操作の低減、目的の位置への素早い選択が可能となるので、快適なユーザビリティを得られ、セキュリティ機能を助長することができる。
【００２３】
そして、本発明の他の目的、特徴及び利点は、添付図面及び各実施の形態を参照することにより、一層明確になるであろう。
【発明を実施するための最良の形態】
【００２４】
〔第１の実施の形態〕
【００２５】
第１の実施の形態について、図１を参照する。図１は、第１の実施の形態に係るスライドチューニング装置を示す図である。図１に示す構成は一例であって、斯かる構成に本発明が限定されるものではない。
【００２６】
このスライドチューニング装置２は、携帯装置やパーソナルコンピュータ等の電子機器に搭載され、その電子機器の購入後の初期設定画面や、ユーザ変更、設定変更の際に指紋関連のアプリケーション画面でセンサ部を複数回スライドするだけで、各種チューニング登録を行う機能を備え、ユーザの操作性に合った動きと追従した動作を実現する。このスライドチューニング装置２は、図１に示すように、指紋センサ４と、プロセッサ６と、登録部８と、表示部１０とを備える。
【００２７】
指紋センサ４は、スライドする指から指紋を検出するセンサ部１２を備え、このセンサ部１２から取り込まれた指紋画像を取り込む手段である。この指紋センサ４は、ユーザの指の指紋入力として用いられることは勿論、指紋以外の位置や移動等の入力手段として用いられる。
【００２８】
プロセッサ６は、ＣＰＵ（Central Processing Unit ）等で構成される操作傾向演算手段であるとともに、指の動きを解析する解析手段、又は、座標の検出数や座標値の差分による速度や操作方向の判断手段であって、指紋センサ４からの指紋入力の際、指紋画像やポインタ情報を取り込み、指の操作を表す操作情報を取り込み、複数の操作情報からユーザの操作傾向を統計的に求める手段であるとともに、その情報を用いてスライドチューニングを行う調整手段であり、この実施の形態では、数回のスライド操作によるチューニング登録処理を実行する。
【００２９】
登録部８は、取り込まれる指紋画像、スライド方向やスライド速度を表す座標からなる軌跡情報、ユーザの操作性（癖）を表すチューニングのための登録情報を記録する記録手段であって、例えば、フラッシュメモリ等の記録媒体で構成される。
【００３０】
表示部１０は既述の初期設定画面やアプリケーション画面等を表示する手段であって、例えば、ＬＣＤ（Liquid Crystal Display）で構成される。
【００３１】
次に、このチューニング装置２の指紋センサ４に対するユーザ操作について、図２、図３及び図４を参照する。図２Ａは、指紋センサが搭載された携帯装置を示す図、図２Ｂは、その携帯装置の指紋センサ側の面部を示す図、図３Ａは、センサ部に対する理想的な操作を示す図、図３Ｂは、ポインタ軌跡の画面イメージを示す図、図４Ａは、センサ部に対するユーザの操作を示す図、図４Ｂは、ポインタ軌跡の画面イメージを示す図である。図２Ａ〜図４Ｂに示す構成は一例であって、斯かる構成に本発明が限定されるものではない。図２Ａ〜図４Ｂにおいて、図１と同一部分には同一符号を付してある。
【００３２】
携帯装置１４は指紋センサ４が搭載された電子機器の一例であって、図２Ａ及び図２Ｂに示すように、筐体部１６の背面側に指紋センサ４のセンサ部１２が設置され、ユーザがセンサ部１２上で指をスライドさせれば、その指から指紋画像がセンサ部１２に取り込まれる。
【００３３】
そこで、ユーザの好みの操作で目的に沿う動作、即ち、指紋センサ４の操作と動作について、図３を参照すると、図３Ａに示すように、センサ部１２に対して指１８が縦方向の理想的な操作方向Ｄであれば、図３Ｂに示す画面イメージ２０の通り、ポインタ２２の軌跡２４も理想的な縦方向となる。
【００３４】
ユーザの好みの操作として、センサ部１２をスライドする行為は全てのユーザが同一ではなく、ユーザ毎に異なった操作となる。ユーザによっては、図４Ａに示すように、右手の指１８（この場合、人差し指）をセンサ部１２に被せ、矢印Ｅで示す方向にスライドさせる。このような操作では、図４Ｂに示す画面イメージ２０の通り、ポインタ２２の軌跡２４が傾斜し、ユーザの操作性（癖）を反映したものとなる。
【００３５】
次に、縦操作方向チューニングの処理手順について、図５及び図６を参照する。図５はユーザのスライドの操作方向を示す図、図６は縦操作方向チューニング登録の処理手順を示すフローチャートである。図５及び図６に示す構成は一例であって、斯かる構成に本発明が限定されるものではない。図５において、図１と同一部分には同一符号を付してある。
【００３６】
スライドのチューニングは、図５に示すように、携帯装置１４のセンサ部１２に普段に操作する指１８（この場合、人差し指）で、普段通りのスライドで行う。この場合、縦方向に指１８をスライドさせる縦スライドである。
【００３７】
この場合の操作方向チューニング登録の処理手順は、スライドチューニング方法又はスライドチューニングプログラムの一例であって、ユーザがスライドする方向（傾き）の癖を見極める機能を実現する処理を含んでいる。この処理手順は、図６に示すように、縦スライドを開始すれば（ステップＳ１０１）、その縦スライドに基づき、スライド操作を行う指１８の動きは検出デバイスである指紋センサ４（図１）で検出され、その検出された動きは座標（ｘ：ｙ）で読み取られ（ステップＳ１０２）、指紋センサ４から出力される。一度のスライドで複数の座標を取得でき、複数の座標から選出した幾つかの座標を用いて、指１８がどのようになぞったか、即ち、スライドしたかを直線で表わす演算を行い、その情報（座標値）をメモリ即ち、登録部８（図１）に蓄積する（ステップＳ１０３）。
【００３８】
このような動作を繰り返し実施し、その複数回の直線情報を平均化する演算（直線化演算）をし、ユーザがスライドする方向（傾き）の癖を見極める。そこで、座標値の蓄積（ステップＳ１０３）について、ｍ回分の蓄積をしたか否かを判定し（ステップＳ１０４）、座標値の蓄積がｍ回に到達した場合には（ステップＳ１０４のＹＥＳ）、ｍ回分の座標値の直線化演算を行い（ステップＳ１０５）、スライド情報の蓄積を行う（ステップＳ１０６）。
【００３９】
このスライド情報の蓄積回数をｎとすれば、ｎ回分のスライド回数に到達したか否かを判定し（ステップＳ１０７）、ｎ回分のスライド回数に到達するまでスライド情報の蓄積を行い、ｎ回分のスライドに到達すれば（ステップＳ１０７のＹＥＳ）、ｎ回分のスライド情報の直線平均化を行い（ステップＳ１０８）、その直線平均化情報に基づいて、スライド方向の調整を行い（ステップＳ１０９）、その調整情報の登録を行い（ステップＳ１１０）、この処理を終了する。
【００４０】
このように指紋センサ４のセンサ部１２に対し、指１８を例えば、上から下へのスライドを行い、そのスライド方向（傾き）を縦スライドとして携帯装置１４に登録することで、ユーザは無意識な操作で快適な操作が実現可能となる。
【００４１】
この実施の形態では、指１８の縦方向スライド即ち、縦移動について述べているが、横移動についても、縦移動と同じ要領で横スライド方向を登録する。上記操作において、指紋センサ４から周期的に出力される座標の差分をΔとすれば、この差分Δを計算し、そのΔ量をメモリ（登録部８）に蓄積する。これも複数回の実施によりその複数回のΔ量の平均値を求め、ユーザがスライドする速度の癖を見極める。ユーザの操作性（癖）を見極めるには、指紋センサ４から出力されるイベント数を用いてもよい。
【００４２】
次に、速度チューニングの処理手順について、図７を参照する。図７は速度チューニング登録の処理手順を示すフローチャートである。図７に示す構成は一例であって、斯かる構成に本発明が限定されるものではない。
【００４３】
スライドのチューニングは、既述の通り、携帯装置１４のセンサ部１２に普段に操作する指１８（この場合、人差し指）で、普段通りのスライドで行う。
【００４４】
この場合の速度チューニング登録の処理手順は、スライドチューニング方法又はスライドチューニングプログラムの一例であって、ユーザがスライドする速度の癖を見極める機能を実現する処理を含んでいる。この処理手順は、図７に示すように、縦スライドを開始すれば（ステップＳ２０１）、その縦スライドに基づき、スライド操作を行う指１８の動きがなぞられた箇所のイベント数で検出され（ステップＳ２０２）、その検出されたイベント数が蓄積される（ステップＳ２０３）。
【００４５】
このような動作を繰り返し実施し、その複数回の直線情報を平均化する演算（直線化演算）をし、ユーザがスライドする方向（傾き）の癖を見極める。そこで、イベント数の蓄積（ステップＳ２０３）について、ｍ回分の蓄積をしたか否かを判定し（ステップＳ２０４）、イベント数の蓄積がｍ回に到達した場合には（ステップＳ２０４のＹＥＳ）、ｍ回分のイベント数の集計を行う（ステップＳ２０５）。
【００４６】
このスライド情報の蓄積回数をｎとすれば、ｎ回分のスライド回数に到達したか否かを判定し（ステップＳ２０６）、ｎ回分のスライドに到達すれば（ステップＳ２０６のＹＥＳ）、ｎ回分のイベント数の平均化を行い（ステップＳ２０７）、その平均化情報に基づいて、ポインタやスクロール移動量の調整を行い（ステップＳ２０８）、その調整情報の登録を行い（ステップＳ２０９）、この処理を終了する。
【００４７】
このように指紋センサ４のセンサ部１２に対し、例えば、上から下へのスライドを行い、そのスライド速度（Δｙ）の平均値をポインタやフォーカス移動の移動量に読み替えて携帯装置１４に登録する。登録したスライド速度より遅い場合は、移動量を少なく、登録したスライド速度より速い場合は、移動量を大きくする。横移動についても、縦移動と同じ要領で横スライド方向を登録する。また、スライドして登録を行った方向や移動量に対し、平均値からの許容範囲を±αとして登録すれば、例えば、縦方向のスライドで多少ずれた操作を行ったとしても、縦操作、移動量を正確な動作に調整する。
【００４８】
このスライドチューニングでは、図８に示すように、指１８の矢印で示すスライド方向Ｆに対し、座標許容範囲ｇがＸ方向に設定され、速度許容範囲ｈがスライド方向Ｆと同方向に設定されている。
【００４９】
次に、左右の指による操作について、図９、図１０及び図１１を参照する。図９Ａは、左手の操作を示す図、図９Ｂは、右手の操作を示す図、図１０は、左手又は右手の登録手順を示すフローチャート、図１１は、操作手順を示すフローチャートである。図９〜図１１に示す構成は一例であって、斯かる構成に本発明が限定されるものではない。
【００５０】
左右何れの指を使ってもスライドチューニングを可能にするため、予め、左右の指の指紋認証チェックを行い、それぞれの手の指で既述のスライド操作を行い、左右の両方の指の動きを登録する。使用に際しては、どちらかの手の指で一度スライドを行い、認証チェックをし、この認証チェックでは、図９Ａに示すように、左手の指１８Ｌでスライドしたか、図９Ｂに示すように、右手の指１８Ｒで操作したかを判断し、その指の設定モードに切り替える。この場合、左手入力か右手入力かをキーボード入力やカーソル操作によって指定する構成としてもよい。
【００５１】
この場合の左右の指を用いた場合の登録の処理手順は、スライドチューニング方法又はスライドチューニングプログラムの一例であって、図１０に示すように、左右の指チューニングを行い（ステップＳ３０１）、このチューニングの際、左右どちらかの指紋認証を行い（ステップＳ３０２）、指の操作方向チューニング（図６）及び速度チューニング（図７）を行う（ステップＳ３０３）。
【００５２】
また、その操作手順について、図１１を参照すると、操作準備として携帯装置１４を起動させる（ステップＳ４０１）。この起動は、携帯装置１４が折畳み可能な形態であれば、オープン状態にすれば、指紋認証の入力可能状態となる。そこで、指紋センサ４のセンサ部１２を一度だけ左右何れかの指で縦スライドを行う（ステップＳ４０２）。この縦スライドにより得られる指紋画像から認証チェックを行い、操作された指が左手か右手かのチェックを行う（ステップＳ４０３）。このチェック結果により、操作手の操作モードに移行し（ステップＳ４０４）、操作手変更を行い、携帯装置１４の動作を終了させる（ステップＳ４０５）。この場合、登録キーを操作すれば、その登録処理が完了する。
【００５３】
そして、センサ部１２について、指の接触（指の操作に沿った）により傾きが生じるような流動性のある機構に構成すれば、左右何れの指の操作に対しても、その操作性（癖）に沿ったチューニングを行える。
【００５４】
次に、スライドチューニング装置の操作方向の推移検出について、図１２を参照する。図１２Ａ及び図１２Ｂは、縦スライドによる指紋画像の推移を示す図である。図１２に示す構成は一例であって、斯かる構成に本発明が限定されるものではない。
【００５５】
指紋ｎ１の指紋画像３１（図１２Ａ）は、複数枚の指紋画像の１枚であって、指１８を上から下にスライドした際の時点（ｔ１）の画像である。そのスライド途上で、指紋ｎ２の指紋画像３２（図１２Ｂ）に推移した状態である。Ｘ、Ｙ軸上の値は仮想であり、各指紋画像３１、３２において、ａ、ｂ、ｃ、ｄは、特徴点箇所の一例であって、指紋画像３１から指紋画像３２への推移は各指紋画像３１、３２の各特徴点箇所ａ、ｂ、ｃ、ｄを対応させ、各特徴点がどれだけ動いたかを検出すれば、推移を検出することができる。
【００５６】
次に、ユーザのスライド方向の癖について、図１３及び図１４を参照する。図１３は、スライドの軌跡（縦スライド）を示す図、図１４は、操作方向チューニング登録の処理手順を示すフローチャートである。図１３及び図１４に示す構成は一例であって、斯かる構成に本発明が限定されるものではない。
【００５７】
ユーザの操作について、指のスライド方向（傾き）の癖を見極めるには、縦スライドでは複数回ｎのスライドのＸ座標上の変化分を検証し、その検証の結果で得られるＸ座標情報を用いて操作方向の補正を行う。図１３は、複数回のスライドとして縦スライドのスライド回数ｎの軌跡を示しており、この場合、ｎ＝３と仮定し、軌跡ｎ１、ｎ２、ｎ３が得られている。各軌跡上の点について、座標ｍ１、ｍ２、ｍ３、ｍ４が得られている。複数回ｎのスライドサンプルを取り、その平均スライド方向を求めれば、座標上のずれ量が求められ、このずれ量が操作方向（癖）に対する補正量となる。
【００５８】
図１３では、スライドに対し、各座標ｍ１、ｍ２、ｍ３、ｍ４でのＹ軸が一定となっているが、Ｙ軸もずれる結果となり、これらＹ軸上の座標も取得する。
【００５９】
この場合、縦スライドについて座標を取得しているが、横スライドでは、Ｙ軸上の変化分を検証し、その検証結果で得られるＹ座標情報を用いて操作方向の補正を行う。
【００６０】
このスライド方向の癖を見極める処理手順（図１４）について、この処理手順は、ユーザの操作傾向を求める処理、即ち、操作方向チューニング登録の処理である。この処理手順は、図１４に示すように、チューニング用スライドをトライ回数ｎとし（ステップＳ５０１）、普段と同じ操作を実施する。この操作により、座標を取得する（ステップＳ５０２）。この座標取得では傾き量を表す座標を指紋センサ４から取得する。この座標取得から座標の退避をし（ステップＳ５０３）、取得した座標を一旦、メモリ即ち、登録部８に退避させる。
【００６１】
座標取得が所定回数ｍに到達したか否かのチェックを行い（ステップＳ５０４）、１スライドでｍ回分の座標が取得され、登録部８に退避できたか否かをチェックする。そのチェックが所定回数ｍに到達すれば（ステップＳ５０４のＹＥＳ）、退避した座標情報を読み出す（ステップＳ５０５）。
【００６２】
この座標情報から距離を算出し（ステップＳ５０６）、この距離の算出では、座標取得ｍ間の距離を計算する。この距離の算出の後、スライド情報の仮登録をし（ステップＳ５０７）、このスライド情報の仮登録では、ｍ回分の座標と座標ｍを基点とした座標間距離をスライド軌跡（直線情報）として仮登録をし、スライド回数ｎに到達したか否かのチェックをし（ステップＳ５０８）、チューニング用スライド回数ｎのチェックを行う。
【００６３】
このチューニング用スライド回数ｎのチェックの後、仮登録情報を読み出し（ステップＳ５０９）、即ち、退避していたスライド情報を読み出す。座標取得ｍの平均座標を演算し（ステップＳ５１０）、この演算ではｎ回分の座標取得ｍを比較し、平均座標を求める（傾き量）。
【００６４】
座標ｍ間距離の平均距離を求め（ステップＳ５１１）、ｎ回分の座標ｍ間距離を比較し平均距離を計算する。平均座標と平均距離のマージ処理を行い（ステップＳ５１２）、この場合、平均を取った座標と距離をマージし、スライド癖の直線情報を取得する。
【００６５】
座標ｍ以外の座標取得を行い（ステップＳ５１３）、この座標取得では上記直線情報より、座標取得ｍ以外の座標値も追加で取得する。そして、スライド情報を補正し（ステップＳ５１４）、スライドで得た座標が座標取得ｍ１からどれだけＸ軸上でずれたかを検出する。この結果、スライド方向の癖を登録する（ステップＳ５１５）。即ち、スライドした方向を縦方向情報として登録部８に登録する。
【００６６】
そして、スライド方向（傾き：癖）の登録情報について、スライド方向がこの登録情報に一致すれば、登録情報即ち、登録している方向で動作させ、また、スライド方向が登録している方向（傾き）と異なっている場合には、登録情報（登録している方向）を基準に、傾いた分だけスライド方向を変化させる。
【００６７】
次に、ユーザのスライド速度の癖について、図１５及び図１６を参照する。図１５は、スライド回数ｎの軌跡（縦スライド）を示す図、図１６は、スライド速度チューニング登録の処理手順を示すフローチャートである。図１５及び図１６に示す構成は一例であって、斯かる構成に本発明が限定されるものではない。
【００６８】
ユーザの操作について、指のスライド速度の癖を見極めるには、基本的にはスライド方向の癖の見極めと同様であり、速度の癖の場合には座標間の距離を検証し、その移動量の基準値として補正する。図１５は、複数回のスライドとして縦スライドのスライド回数ｎの軌跡を示しており、この場合、ｎ＝３と仮定し、軌跡ｎ１、ｎ２、ｎ３が得られている。この場合、１スライドで４回分の座標ｍを取得し、図１５では、スライド回数ｎに対し、各座標ｍでのＹ軸が一定となっているが、実際にはＹ軸もずれる結果が得られる。
【００６９】
このスライド速度チューニングの処理手順が、図１６に示すように、チューニング用スライドをトライ回数（スライド回数）ｎとし（ステップＳ６０１）、普段と同じ操作で実施する。このトライにより、座標を取得する（ステップＳ６０２）。即ち、座標情報を指紋センサ４から取得する。取得した座標の退避を行い（ステップＳ６０３）、この退避では取得した座標を一旦メモリ即ち、登録部８に退避する。
【００７０】
取得した座標が所定回数ｍに到達したか否かのチェックを行い（ステップＳ６０４）、このチェックでは、１スライドでｍ回分の座標が取得され、登録部８に退避できたか否かをチェックする。
【００７１】
所定回数ｍに到達した場合（ステップＳ６０４のＹＥＳ）には、退避した座標を読み出し（ステップＳ６０５）、即ち、退避させた座標情報を登録部８から読み出す。この座標情報を用いて距離を算出し（ステップＳ６０６）、即ち、座標取得ｍ間の距離を計算する。距離の算出の後、スライド情報の仮登録をし（ステップＳ６０７）、ｍ回分の座標と座標ｍを基点とした座標間距離をスライド軌跡（スピード情報) として仮登録し、スライド回数ｎに到達したか否かのチェックをし（ステップＳ６０８）、この場合、チューニング用スライド回数ｎをチェックする。
【００７２】
スライド回数ｎに到達している場合には（ステップＳ６０８のＹＥＳ）、仮登録情報を読み出し（ステップＳ６０９）、退避していたスライド情報を読み出す。このスライド情報により、座標ｍの平均座標を演算する（ステップＳ６１０）。この演算では、ｎ回分の座標取得ｍを比較し、平均座標を計算する。座標ｍ間距離の平均距離を求め（ステップＳ６１１）、ｎ回分の座標ｍ間距離を比較し、平均距離を計算する。
【００７３】
平均座標と平均距離のマージ処理を行い（ステップＳ６１２）、ここでは、平均を取った座標と距離をマージし、スライド癖のスピード報を取得する。距離を移動量に変換し（ステップＳ６１３）、スライドで得た距離を移動量Ｚの任意の値に置き換える。そして、スライド速度の癖を登録し（ステップＳ６１４）、即ち、スライド速度を基準移動量として登録する。
【００７４】
そして、スライド速度（癖）の登録情報に対し、スライド速度がこの登録情報に一致すれば、登録している移動量で動作し、スライド速度が登録している前後の値であれば、登録データとの比率で移動量を変化させる。
【００７５】
次に、スライドの許容範囲の設定について、図１７、図１８、図１９及び図２０を参照する。図１７は、横幅の許容範囲を示す図、図１８は、横幅チューニングの処理手順を示すフローチャート、図１９は、縦幅の許容範囲を示す図、図２０は、縦幅チューニングの処理手順を示すフローチャートである。図１７〜図２０に示す構成は一例であって、斯かる構成に本発明が限定されるものではない。
【００７６】
スライドの許容範囲の設定は、スライドの移動量に対して正確な動作を確保するための設定であって、センサ部１２に対する指の移動に対し、その左右や上下に許容幅を設け、その許容範囲内のスライド操作であれば、補正された方向、任意で設定された移動量で動作を行う。許容範囲（許容幅）から外れた場合には、外れた分として方向移動量を変化させた動作を行う。
【００７７】
横幅の許容範囲はスライドの横方向へのずれの許容幅であり、図１７に示すように、縦スライドのトライ回数ｎの平均から座標ｍ１、ｍ２、ｍ３、ｍ４を取得し、平均傾き線Ｌが得られる。この平均傾き線Ｌに対して許容範囲±ｘ％を付与することにより、横幅の許容範囲Ｌｘが設定される。
【００７８】
この横幅チューニングとして許容幅チューニングの処理手順は、図１８に示すように、方向チューニングにて平均傾き線を分析し（ステップＳ７０１）、その分析結果に許容範囲の設定として±ｘ％の許容幅を付与し（ステップＳ７０２）、この許容幅を登録部８に登録し（ステップＳ７０３）、この処理を終了する。
【００７９】
また、縦幅の許容範囲は、スライドの縦方向へのずれの許容幅であり、図１９に示すように、縦スライドのトライ回数ｎの平均から座標を取得し、同様に平均傾き線Ｌが得られる。この平均傾き線Ｌに対して許容範囲±ｘ％を付与することにより、縦幅の許容範囲Ｌｙが設定される。
【００８０】
この縦幅チューニングとして許容幅チューニングの処理手順は、図２０に示すように、速度チューニングにて平均距離を分析し（ステップＳ８０１）、その分析結果に許容範囲の設定として±ｘ％の許容幅を付与し（ステップＳ８０２）、この許容幅を登録部８に登録し（ステップＳ８０３）、この処理を終了する。
【００８１】
次に、左右の指チューニングについて、図２１、図２２、図２３及び図２４を参照する。図２１は、スライド回数ｎ（左手縦スライド）の軌跡を示す図、図２２は、スライド回数ｎ（右手縦スライド）を示す図、図２３は、左右の指チューニングの処理手順を示すフローチャート、図２４は、操作例の処理手順を示すフローチャートである。図２１〜図２４に示す構成は一例であって、斯かる構成に本発明が限定されるものではない。
【００８２】
この左右の指チューニングは、左右どちらの指を使ってもチューニングできる機能であって、左手又は右手の指により指紋認証登録を行い、使用した手の指を解析し、使用された側の指の動きをチューニングする。この指チューニングでは、左手の指で縦スライドを行い、スライド回数ｎの軌跡を求める。図２１は、スライド回数ｎの軌跡（左手縦スライド例）を示し、ｎ＝３と仮定し、座標ｍ１、ｍ２、ｍ３、ｍ４を取得している。
【００８３】
また、右手の指で縦スライドを行い、同様にスライド回数ｎの軌跡を求める。図２２は、スライド回数ｎの軌跡（右手縦スライド例）を示し、ｎ＝３と仮定し、座標ｍ１、ｍ２、ｍ３、ｍ４を取得している。
【００８４】
そして、左右の指の登録後、スライドを行い、どちらの手でなぞったかを認証チェックし、使用モードに入るとともに、動作の信頼性を維持するため、定期的な認証チェックを実施する。
【００８５】
この左右の指チューニングの処理手順は、図２３に示すように、左右の指について、指紋認証登録を行う（ステップＳ９０１）。即ち、使用する指（両指）の指紋認証登録を行う。指紋認証（左指）を行い（ステップＳ９０２）、チューニングする指の認証チェックを行う。そこで、既述の方向チューニングと速度チューニングを行う（ステップＳ９０３）。
【００８６】
次に、他の指の指紋認証（右指）を行い（ステップＳ９０４）、チューニングする指の認証チェックを行う。同様に、既述の方向チューニングと速度チューニングを行う（ステップＳ９０５）。このようにして得た左右の指登録を行い（ステップＳ９０６）、これらの処理により、両指のチューニング登録を完了する。
【００８７】
そして、左右の指登録を経た後、左右の指によるチューニングの操作手順について説明すると、図２４に示すように、指紋スライドを行い（ステップＳ１００１）、指判定認証チェックをする（ステップＳ１００２）。指紋スライドを行った指が右手であれば右手モードに移行し（ステップＳ１００３）、また、左手であれば左手モードに移行し（ステップＳ１００４）、これらの処理では定期的な認証チェックを実行する（ステップＳ１００５）。
【００８８】
以上説明した第１の実施の形態から抽出される特徴的構成や利点や変形例を以下に列挙する。
【００８９】
(1) このスライドチューニング装置２では、携帯端末等の電子機器に指の指紋と指の動きが検出可能な指紋デバイス即ち、指紋センサ４が入力装置として搭載されている。指のスライドによる指紋認証と指の動き（上下左右斜め）に追従したポインティング操作の機能を兼ね備えている。指紋センサ４は指の指紋認証に用いることができる。ポインティング操作を行う指の動きは、ユーザによりなぞる向き、速さが異なるため、予めユーザの指の動きを採取し、その情報を携帯装置１４に登録できる。採取したユーザの指の動きを上下や左右の方向に読み替える機能（座標の補正）を可能とすることで快適なユーザビリティを得られる。
【００９０】
(2) 指紋センサ４で指の指紋検出と指の動きとを同時に検出することができる。
【００９１】
(3) 指紋センサ４から取り込まれた指の動きを座標で解析できるので、指の動きを座標値で登録することができる。指の動きはイベント数で解析することもできる。
【００９２】
(4) ユーザが指紋センサ４のセンサ部１２をどの向きにスライドしたかを座標より軌跡として登録部８に記憶することができる。
【００９３】
(5) 複数回同じスライドを繰り返したときの軌跡幅（座標）を、ユーザの操作性（癖）として登録することができる。
【００９４】
(6) 登録情報を参照し、ユーザのスライド操作の方向を調整し、適正な操作方向に変換又は読み替えることができる。
【００９５】
(7) スライド時のスピードを座標の検出数や検出した座標の差分で判断できる。
【００９６】
(8) 操作時に指紋認証を行うことで左右の何れの指でスライドしているかを検出し、その検出情報から認識することができる。
【００９７】
(9) 指紋センサ４を携帯装置１４のリスト表示やブラウザの操作性を向上する手段として、指紋認証と指の動きが検出できる両方の機能を備えた入力装置として構成できる。指紋センサ４は上下左右斜めの動きを認識することができ、実際にユーザがセンサ部１２をなぞると、指紋センサ４（デバイス）はそのスライド方向及び／又は速さを座標やイベント数としての解析でき、その情報をホスト即ち、プロセッサ６又はプロセッサ６を通じてホストコンピュータに通知する構成とすることができ、ポインティング操作、縦横スクロール操作が可能である。また、デバイスから得られる座標やイベント数の解析結果を用いてユーザ好みの動作が可能となる操作性（癖）の登録（座標補正）を行うことで快適な操作が実現できる。また、使用するアプリ毎に各方向の感度が自由に設定でき、入力操作の自由度を拡大することができる。
【００９８】
(10)  項目選択やフルブラウザ画面のポインタ移動のキー入力操作、指紋センサ４を使ったポインティング操作の誤動作の防止、左右の手による指紋センサポインティングの動作バラツキの抑制、ポインティング操作時の指紋認証を行うことができる。
【００９９】
(11)  指紋センサ４が搭載された携帯装置１４において、センサ部１２のスライド操作をユーザの好みに合った操作調整即ち、チューニング登録が可能となり、今まで以上の直感的操作を実現できる。同時に指紋認証機能もでき、これにより誤操作の低減、目的の位置への素早い選択が可能となり、快適なユーザビリティを得られ、セキュリティ的にも安心できる機能を実現できる。
【０１００】
〔第２の実施の形態〕
【０１０１】
第２の実施の形態について、図２５を参照する。図２５は、第２の実施の形態に係るスライドチューニング装置のハードウェア構成を示す図である。図２５に示す構成は一例であって、斯かる構成に本発明が限定されるものではない。図２５において、図１と同一部分には同一符号を付してある。
【０１０２】
このスライドチューニング装置２は、画像取得や指紋認証の情報処理手段としてコンピュータを備えて構成されており、ＣＰＵ（Central Processing Unit ）４２と、プログラム記憶部４４と、データ記憶部４６と、ＲＡＭ（Random-Access Memory）４８と、操作入力部５０と、指紋センサ４と、表示部１０とが設置され、これらはバス５２によって連係されている。
【０１０３】
ＣＰＵ４２はＯＳ（Operating System）及びスライドチューニングプログラム等のアプリケーションプログラムの実行により、指紋画像の取得、操作方向チューニング処理、操作速度チューニング処理、その他、各種データの格納や演算等を行う制御手段であって、既述のプロセッサ６に対応する。
【０１０４】
ＲＡＭ４８はワークエリアを構成する。表示部１０は情報提示手段であって、例えば、ＬＣＤ（Liquid Crystal Display）で構成される。操作入力部５０は、情報の入力等に用いられ、情報入力にはキーボード等が使用される。
【０１０５】
指紋センサ４は、スライドする指から指紋を検出し、その指紋画像を取り込む手段であって、例えば、スウィープ型指紋センサで構成される。
【０１０６】
プログラム記憶部４４は、プログラムを記録する記録手段の一例であって、コンピュータによって読み書き可能な記録媒体によって構成する。このプログラム記憶部４４には、ＯＳ４４２やアプリケーションプログラム４４４、即ち、既述のスライドチューニングプログラム等のルーチン等が格納される。
【０１０７】
データ記憶部４６は既述の登録部８に対応し、データを格納する格納手段の一例であって、指紋画像やスライド情報が格納される。このデータ記憶部４６には、指紋登録部４６２と、操作方向チューニング登録部４６４と、操作速度チューニング登録部４６６とが設定されている。指紋登録部４６２には指紋情報が登録され、操作方向チューニング登録部４６４には操作方向情報が登録され、また、操作速度チューニング登録部４６６には操作速度情報が登録されている。
【０１０８】
このような構成により、既述のスライドチューニング装置２（図１）が構成され、指紋センサ４に対するユーザの操作性（癖）が登録され、指のスライド操作に対し、登録された癖によりスライド情報の調整が行われ、適切な入力が行える。
【０１０９】
このスライドチューニング装置２は例えば、携帯装置５４（図２６）に搭載され、この携帯装置５４は図２６に示すように、筐体部５６と筐体部５８とをヒンジ部６０で開閉可能に構成したものであり、筐体部５６には、キーボード６２（操作入力部５０の一例）が設置されているとともに、指紋センサ４が設置され、筐体部５８には表示部１０が搭載されている。
【０１１０】
斯かる構成によれば、携帯装置５４において、指紋センサ４のセンサ部１２に対する指のスライドに対し、ユーザの操作性（癖）を登録し、スライド入力に対してスライドチューニングを行い、指紋センサ４による入力や信頼性の高い指紋認証が行える。
【０１１１】
〔他の実施の形態〕
【０１１２】
(1) 上記実施の形態では、スライドチューニング装置２を搭載した電子機器として携帯装置１４（図２）、５４（図２６）を例示したが、パーソナルコンピュータ（ＰＣ）６４（図２７）や携帯情報端末機（ＰＤＡ：Personal Digital Assistant）７４（図２８）等に搭載してもよい。
【０１１３】
ＰＣ６４は図２７に示すように、筐体部６６と筐体部６８とをヒンジ部７０で開閉可能に構成したものであり、筐体部６６には、キーボード７２（操作入力部５０の一例）が設置されているとともに、指紋センサ４が設置され、筐体部６８には表示部１０が搭載されている。また、ＰＤＡ７４は図２８に示すように、筐体部７６にキーボード７８（操作入力部５０の一例）が設置されているとともに、指紋センサ４が設置されている。
【０１１４】
(2) 上記実施の形態では、スライドチューニング装置２を搭載した電子機器として携帯装置１４等を例示したが、他の電子機器として例えば、ゲーム機器等、他の電子機器に搭載してもよい。
【０１１５】
(3) 上記実施の形態において、指の動きにマッチした機構部の柔軟化として例えば、指紋センサ４のセンサ部１２の周囲や下部をゴム製や低反発のラバーを敷くことで、ユーザの使用感を向上させた構成としてもよい。
【０１１６】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１１７】
（付記１）  指紋センサを用いるスライドチューニング装置であって、
入力の際、前記指紋センサに対する指の操作を表す操作情報を取り込み、複数の操作情報から操作傾向を演算する操作傾向演算手段と、
前記操作傾向演算手段で演算された前記操作傾向を表す情報を登録する登録手段と、
前記指紋センサの指紋入力の際に前記登録手段の登録情報を参照し、前記指紋センサに取り込まれる操作情報を調整する調整手段と、
を備えることを特徴とするスライドチューニング装置。
【０１１８】
（付記２）  付記１記載のスライドチューニング装置において、
前記操作情報は、前記指の移動方向又は速度であることを特徴とするスライドチューニング装置。
【０１１９】
（付記３）  付記１記載のスライドチューニング装置において、
前記操作傾向演算手段は、前記指の動き座標で解析する解析手段を備えることを特徴とするスライドチューニング装置。
【０１２０】
（付記４）  付記１記載のスライドチューニング装置において、
前記操作傾向演算手段は、前記指の動きをイベント数で解析する解析手段を備えることを特徴とするスライドチューニング装置。
【０１２１】
（付記５）  付記１記載のスライドチューニング装置において、
前記登録手段は、前記指紋センサに対する指のスライド方向を座標より軌跡として記憶することを特徴とするスライドチューニング装置。
【０１２２】
（付記６）  付記１記載のスライドチューニング装置において、
前記登録手段は、前記指紋センサに対する指のスライドを複数回繰り返した際の前記指の軌跡幅（座標）を登録することを特徴とするスライドチューニング装置。
【０１２３】
（付記７）  付記１記載のスライドチューニング装置において、
前記指紋センサに対する指の操作方向に対し、前記登録手段に登録された前記登録情報を前記操作方向に読み替えることを特徴とするスライドチューニング装置。
【０１２４】
（付記８）  付記１記載のスライドチューニング装置において、
スライド時のスピードを座標の検出数や検出した座標の差分で判断する判断手段を備えることを特徴とするスライドチューニング装置。
【０１２５】
（付記９）  付記１、２、３、４、５、６、７又は８記載のスライドチューニング装置において、
操作時に指紋認証を行うことで左右どちらの指でスライドしているかを判別する判別手段を備えることを特徴とするスライドチューニング装置。
【０１２６】
（付記１０）  指紋センサを備える電子機器であって、
指紋入力の際、前記指紋センサに対する指の操作を表す操作情報を取り込み、複数の操作情報からユーザの操作傾向を演算する操作傾向演算手段と、
前記操作傾向演算手段で演算された前記操作傾向を表す情報を登録する登録手段と、
前記指紋センサの指紋入力の際に前記登録手段の登録情報を参照し、前記指紋センサから取り込まれる操作情報を調整する調整手段と、
を備えることを特徴とする電子機器。
【０１２７】
（付記１１）  付記１０記載の電子機器において、
前記前記操作情報は、前記指の移動方向又は速度であることを特徴とする電子機器。
【０１２８】
（付記１２）  付記１０記載の電子機器において、
前記操作傾向演算手段は、前記指の動き座標で解析する解析手段を備えることを特徴とする電子機器。
【０１２９】
（付記１３）  付記１０記載の電子機器において、
前記操作傾向演算手段は、前記指の動きをイベント数で解析する解析手段を備えることを特徴とする電子機器。
【０１３０】
（付記１４）  付記１０記載の電子機器において、
前記登録手段は、前記指紋センサに対する指のスライド方向を座標より軌跡として記憶することを特徴とする電子機器。
【０１３１】
（付記１５）  付記１０記載の電子機器において、
前記登録手段は、前記指紋センサに対する指のスライドを複数回繰り返した際の前記指の軌跡幅（座標）を登録することを特徴とする電子機器。
【０１３２】
（付記１６）  付記１０記載の電子機器において、
前記指紋センサに対する指の操作方向に対し、前記登録手段に登録された前記登録情報を前記操作方向に読み替えることを特徴とする電子機器。
【０１３３】
（付記１７）  付記１０記載の電子機器において、
スライド時のスピードを座標の検出数や検出した座標の差分で判断する判断手段を備えることを特徴とする電子機器。
【０１３４】
（付記１８）  付記１０、１１、１２、１３、１４、１５、１６又は１７記載の電子機器において、
操作時に指紋認証を行うことで左右どちらの指でスライドしているかを判別する判別手段を備えることを特徴とする電子機器。
【０１３５】
（付記１９）  コンピュータによって実行され、指紋センサの指紋入力の際のスライドチューニングプログラムであって、
指紋入力の際、前記指紋センサに対する指の操作を表す操作情報を取り込み、複数の操作情報からユーザの操作傾向を求めるステップと、
前記操作傾向を表す情報を登録するステップと、
前記指紋センサの指紋入力の際に前記操作傾向を表す登録情報を参照し、前記指紋センサから取り込まれる操作情報を調整するステップと、
を前記コンピュータに実行させることを特徴とするスライドチューニングプログラム。
【０１３６】
（付記２０）  指紋センサを用いるスライドチューニング方法であって、
指紋入力の際、前記指紋センサに対する指の操作を表す操作情報を取り込み、複数の操作情報からユーザの操作傾向を求めるステップと、
前記操作傾向を表す情報を登録するステップと、
前記指紋センサの指紋入力の際に前記操作傾向を表す登録情報を参照し、前記指紋センサから取り込まれる操作情報を調整するステップと、
を含むことを特徴とするスライドチューニング方法。
【０１３７】
（付記２１）  指紋センサの指紋入力の際のスライドチューニングプログラムをコンピュータ読取り可能に記録した記録媒体であって、
指紋入力の際、前記指紋センサに対する指の操作を表す操作情報を取り込み、複数の操作情報から前記ユーザの操作傾向を求めるステップと、
前記操作傾向を表す情報を登録するステップと、
前記指紋センサの指紋入力の際に前記操作傾向を表す登録情報を参照し、前記指紋センサから取り込まれる操作情報を調整するステップと、
を前記コンピュータに実行させるスライドチューニングプログラムをコンピュータ読取り可能に記録した記録媒体。
【０１３８】
以上説明したように、本発明の最も好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１３９】
本発明は、指紋センサのセンサ部に対する指のスライド操作の傾向情報を登録し、指紋入力の際に登録情報を参照し、指紋センサに取り込まれる操作情報を調整するので、スライド操作による入力を補完し、ユーザの操作性による誤操作を防止でき、操作機能が向上するとともに操作の信頼性が高められる等、ユーザの操作性（癖）による操作機能の低下を防止でき、指紋センサを指紋認証や入力手段として用いる電子機器の操作機能を高め、有用である。
【図面の簡単な説明】
【０１４０】
【図１】第１の実施の形態に係るスライドチューニング装置を示す図である。
【図２】指紋センサを備えた携帯装置を示す図である。
【図３】センサ部の理想的な操作方向及びポインタ軌跡を示す図である。
【図４】センサ部に対する操作方向及びポインタ軌跡の一例を示す図である。
【図５】スライド操作方向を示す図である。
【図６】スライド操作に対応する操作方向チューニング登録の処理手順を示すフローチャートである。
【図７】スライド操作に対応する速度チューニング登録の処理手順を示すフローチャートである。
【図８】スライド方向に対応する座標許容範囲及び速度許容範囲を示すフローチャートである。
【図９】左手又は右手のスライド操作を示す図である。
【図１０】登録の処理手順を示すフローチャートである。
【図１１】操作手順を示すフローチャートである。
【図１２】縦スライドによる指紋画像の偏移を示す図である。
【図１３】スライド軌跡を示す図である。
【図１４】操作方向チューニング登録の処理手順を示すフローチャートである。
【図１５】スライド軌跡を示す図である。
【図１６】スライド速度チューニング登録の処理手順を示すフローチャートである。
【図１７】横幅の許容範囲を示す図である。
【図１８】横幅チューニングの登録の処理手順を示すフローチャートである。
【図１９】縦幅の許容範囲を示す図である。
【図２０】縦幅チューニングの登録の処理手順を示すフローチャートである。
【図２１】左手のスライド軌跡を示す図である。
【図２２】右手のスライド軌跡を示す図である。
【図２３】左指又は右指のチューニング登録の処理手順を示すフローチャートである。
【図２４】操作例に対応した処理手順を示すフローチャートである。
【図２５】第２の実施の形態に係るスライドチューニング装置のハードウェア構成を示す図である。
【図２６】携帯装置を示す図である。
【図２７】パーソナルコンピュータを示す図である。
【図２８】ＰＤＡを示す図である。
【符号の説明】
【０１４１】
２  スライドチューニング装置
４  指紋センサ
６  プロセッサ
８  登録部
１０  表示部
１２  センサ部
１４  携帯装置
１６  筐体部
１８  指
１８Ｌ  左手の指
１８Ｒ  右手の指
２０  画面イメージ
２２  ポインタ
２４  軌跡
３１、３２  指紋画像
４２  ＣＰＵ
４４  プログラム記憶部
４６  データ記憶部
４８  ＲＡＭ
５０  操作入力部
５２  バス
４４２  ＯＳ
４４４  アプリケーション
４６２  指紋登録部
４６４  操作方向チューニング登録部
４６６  操作速度チューニング登録部
５６、５８、６６、６８、７６、７８  筐体部
６０、７０  ヒンジ部
６２、７２  キーボード
【図１】
2010072968.tif 000003
【図２】
2010072968.tif 000004
【図３】
2010072968.tif 000005
【図４】
2010072968.tif 000006
【図５】
2010072968.tif 000007
【図６】
2010072968.tif 000008
【図７】
2010072968.tif 000009
【図８】
2010072968.tif 000010
【図９】
2010072968.tif 000011
【図１０】
2010072968.tif 000012
【図１１】
2010072968.tif 000013
【図１２】
2010072968.tif 000014
【図１３】
2010072968.tif 000015
【図１４】
2010072968.tif 000016
【図１５】
2010072968.tif 000017
【図１６】
2010072968.tif 000018
【図１７】
2010072968.tif 000019
【図１８】
2010072968.tif 000020
【図１９】
2010072968.tif 000021
【図２０】
2010072968.tif 000022
【図２１】
2010072968.tif 000023
【図２２】
2010072968.tif 000024
【図２３】
2010072968.tif 000025
【図２４】
2010072968.tif 000026
【図２５】
2010072968.tif 000027
【図２６】
2010072968.tif 000028
【図２７】
2010072968.tif 000029
【図２８】
2010072968.tif 000030